(57)【要約】【課題】  本発明は石膏ボードのアンカーであって、石膏ボードに対するアンカーの引き抜き強度を大きくすることを課題とする。また、アンカーを石膏ボードにねじ込むときに、アンカーと石膏ボードの摩擦によって生じることのあるアンカーの破損を防止することを課題とする。【解決手段】  中空に形成された石膏ボード用のアンカーであって、一端に頭部を有し、他端に先細の先端部を有し、その間の胴部の外周に雄ネジが形成されており、胴部を４つの部分に分ける４つの割溝が胴部の周壁に設けられ、少なくとも一対の対向する割溝には該割溝内で対向する内面を部分的に結ぶリブが少なくとも１つ設けられている。【選択図】  図１
2007100810.tif 000002
【特許請求の範囲】
【請求項１】
中空に形成された石膏ボード用のアンカーであって、一端に頭部を有し、他端に先細の先端部を有し、その間の胴部の外周に雄ネジが形成されており、胴部を４つの部分に分ける４つの割溝が胴部の周壁に設けられ、少なくとも一対の対向する割溝には該割溝内で対向する内面を部分的に結ぶリブが少なくとも１つ設けられていることを特徴とするアンカー。
【請求項２】
リブは割溝の深さの中央よりも先端部寄りに設けられている請求項１記載のアンカー。
【請求項３】
中空に形成された石膏ボード用のアンカーであって、一端に頭部を有し、他端に先細の先端部を有し、その間の胴部の外周に雄ネジが形成されており、胴部を４つの部分に分ける４つの割溝が胴部の周壁に設けられ、一対の対向する割溝の深さは他の一対の対向する割溝の深さよりも深く形成されていることを特徴とするアンカー。
【請求項４】
前記深い方のそれぞれの割溝に、該割溝内の対向する内面を部分的に結ぶリブが少なくとも１つ設けられている請求項３記載のアンカー。
【請求項５】
リブは浅い方の割溝の溝底よりも先端部寄りに設けられている請求項４記載のアンカー。
【請求項６】
中空に形成された石膏ボード用のアンカーであって、一端に頭部を有し、他端に先細の先端部を有し、その間の胴部の外周に雄ネジが形成されており、胴部を２以上の部分に分ける２以上の割溝が胴部の周壁に設けられ、アンカーが石膏ボードの表面から完全にねじ込まれたときに、少なくとも１つの割溝の溝底は、石膏ボードの裏面から１ｍｍ進んだ位置とその裏面から２ｍｍ没入した位置の範囲内にあるように、割溝の溝底と頭部上面との間の長さが設定されていることを特徴とするアンカー。
【請求項７】
胴部を４つの部分に分ける４つの割溝が胴部の周壁に設けられ、アンカーが石膏ボードの表面から完全にねじ込まれたときに、一対の対向する割溝の溝底は、石膏ボードの裏面から１ｍｍ進んだ位置とその裏面から２ｍｍ没入した位置の間にあるように、割溝の溝底と頭部上面との間の長さが設定されている請求項６記載のアンカー。
【発明の詳細な説明】
【技術分野】
【０００１】
本発明は、主に建築関係で使用される石膏ボード用のアンカーに関する。
【背景技術】
【０００２】
従来からアンカーの中空胴部に割溝を設けたアンカーは存在する（例えば、特許文献１参照。）。
【特許文献１】登録実用新案第３０００６３２号公報
【発明の開示】
【発明が解決しようとする課題】
【０００３】
本発明は石膏ボードのアンカーであって、石膏ボードに対するアンカーの引き抜き強度を大きくすることを課題とする。また、アンカーを石膏ボードにねじ込むときに、アンカーと石膏ボードの摩擦によって生じることのあるアンカーの破損を防止することを課題とする。
【０００４】
特許文献１に開示されているように、従来のアンカーはその中空胴部の周壁に２つの割溝が設けられている。そして、石膏ボードにねじ込まれたアンカーにビスを螺合すると、特許文献１の図に示されているように分割胴部は石膏ボードの内部においても大きく開脚する。分割胴部を開脚すると分割胴部が石膏ボードを強く押すので強力になるように思えるが、実際はそうでない。石膏ボードは脆弱であるから、石膏ボードを引き抜くときの強度はむしろ弱くなる。石膏ボードの孔の拡開された部分は石膏ボードの組織が崩されるので弱くなるのである。このことは、石膏ボードに孔をあけてボルトを挿入しナットで締めたときは、石膏ボードの孔が拡開されていないから石膏ボードの組織が崩れず、そのボルトを引き抜くときに非常に大きな力が必要であることからも理解できる。すなわち、引き抜き強度を増すためには、分割胴部で孔を拡げるのではなく、石膏ボードの孔から出ているナットの平面部を石膏ボードの表面に沿わせて、孔は拡げないようにした方がよいのである。石膏ボードの裏面に突き出した部分がその裏面に沿って広がる構成が望ましい。本発明は、アンカーの分割胴部が石膏ボードの孔内でできる限り拡開することのないようにアンカー取り付けることによって、アンカーの引き抜き強度を大きくすることを目的とする。
【０００５】
また、特許文献１の実用新案登録請求の範囲等に、胴部の分割を四分割にすることについて記載されている。しかし、現在、四分割されたアンカーは製造販売されていない。その理由は、アンカーの胴部を四分割すると分割胴部の強度が弱くなるので、電動ドライバーでアンカーを石膏ボードにねじ込むときに、分割胴部の一部が破損するのである。そこで、本発明は胴部を四分割にしてもねじ込み中に分割胴部が破損しないアンカーを提供することを目的とする。
【課題を解決するための手段】
【０００６】
本発明の請求項１は、中空に形成された石膏ボード用のアンカーであって、一端に頭部を有し、他端に先細の先端部を有し、その間の胴部の外周に雄ネジが形成されており、胴部を４つの部分に分ける４つの割溝が胴部の周壁に設けられ、少なくとも一対の対向する割溝には該割溝内で対向する内面を部分的に結ぶリブが少なくとも１つ設けられている構成である。
【０００７】
請求項２は、リブが割溝の深さの中央よりも先端部寄りに設けられている要素が請求項１に付加された構成である。
【０００８】
請求項３は、中空に形成された石膏ボード用のアンカーであって、一端に頭部を有し、他端に先細の先端部を有し、その間の胴部の外周に雄ネジが形成されており、胴部を４つの部分に分ける４つの割溝が胴部の周壁に設けられ、一対の対向する割溝の深さは他の一対の対向する割溝の深さよりも深く形成されている構成である。
【０００９】
請求項４は、前記深い方のそれぞれの割溝に、該割溝内の対向する内面を部分的に結ぶリブが少なくとも１つ設けられている要素が請求項３に付加された構成である。
【００１０】
請求項５は、リブが浅い方の割溝の溝底よりも先端部寄りに設けられている要素が請求項４に付加された構成である。
【００１１】
請求項６は、中空に形成された石膏ボード用のアンカーであって、一端に頭部を有し、他端に先細の先端部を有し、その間の胴部の外周に雄ネジが形成されており、胴部を２以上の部分に分ける２以上の割溝が胴部の周壁に設けられ、アンカーが石膏ボードの表面から完全にねじ込まれたときに、少なくとも１つの割溝の溝底は、石膏ボードの裏面から１ｍｍ進んだ位置とその裏面から２ｍｍ没入した位置の間にあるように、割溝の溝底と頭部上面との間の長さが設定されている構成である。
【００１２】
請求項７は、胴部を４つの部分に分ける４つの割溝が胴部の周壁に設けられ、アンカーが石膏ボードの表面から完全にねじ込まれたときに、一対の対向する割溝の溝底は、石膏ボードの裏面から１ｍｍ進んだ位置とその裏面から２ｍｍ没入した位置の間にあるように、割溝の溝底と頭部上面との間の長さが設定されている要素が請求項６に付加された構成である。
【発明の効果】
【００１３】
請求項１は、中空に形成された石膏ボード用のアンカーであって、一端に頭部を有し、他端に先細の先端部を有し、その間の胴部の外周に雄ネジが形成されており、胴部を４つの部分に分ける４つの割溝が胴部の周壁に設けられ、少なくとも一対の対向する割溝には該割溝内で対向する内面を部分的に結ぶリブが少なくとも１つ設けられている。一対の対向する割溝にリブを設けることによりその割溝内の対向する内面同士がリブで結合されるから、その割溝はリブがないときに比し容易に拡開しない。したがって、アンカーを石膏ボードにねじ込むときには、アンカーは実質的に胴部が二分割されたアンカーと同じであって、分割胴部が破損する虞がない。アンカーにビスを螺合したときにリブが分断する程度にリブの強度を設定すれば、ビスを螺合したときにアンカーは４つに分割される。
【００１４】
請求項２は、リブが割溝の深さの中央よりも先端部寄りに設けられている。したがって、アンカーがねじ込み中に受ける摩擦力に対して、リブによる割溝内の対向する内面の結合が強固となる。
【００１５】
請求項３は、中空に形成された石膏ボード用のアンカーであって、一端に頭部を有し、他端に先細の先端部を有し、その間の胴部の外周に雄ネジが形成されており、胴部を４つの部分に分ける４つの割溝が胴部の周壁に設けられ、一対の対向する割溝の深さは他の一対の対向する割溝の深さよりも深く形成されている。このように、割溝の深さを違えることは異なる厚みの石膏ボードに対応させるためである。現在、建築用に使用されている石膏ボードの厚みについては基準があって、薄い石膏ボードの厚みは９．５ｍｍであり比較的厚い石膏ボードの厚みは１２．５ｍｍである。したがって、アンカーの頭部表面から深い割溝の溝底までの距離を９ｍｍ前後にしておけば、アンカーを薄い方の石膏ボードに完全にねじ込んだときに割溝の溝底は石膏ボードの裏面に近い位置にある。そうすると、その割溝の隣の分割胴部が拡開されるときに、割溝の溝底から先端部方向の部分が拡開するので、石膏ボードの内部で分割胴部が拡開しない。したがって、分割胴部が拡開しても石膏ボードの孔を拡げることがなく、石膏ボードの組織が崩れることがなく、アンカーの強度を増すことができる。アンカーの頭部表面から浅い割溝の溝底までの距離を１２ｍｍ前後にしておけば、アンカーを薄い方の石膏ボードに完全にねじ込んだときに浅い割溝の溝底は石膏ボードの裏面に近い位置にある。したがって、薄い石膏ボードと同様に分割胴部が石膏ボードの内部で拡開されて石膏ボードの組織を崩すことがない。
【００１６】
請求項４は、深い方のそれぞれの割溝に、その割溝内の対向する内面を部分的に結ぶリブが少なくとも１つ設けられている。この理由のひとつは、仮に深い割溝にリブがないと、胴部が拡開するときに深い割溝が先に拡開し、そのまま深い割溝がどんどん拡開して浅い割溝はほとんど拡開せず、実質的に胴部を二分割することと同じになってしまうからである。そこで、深い割溝をリブで補強して深い割溝と浅い割溝を同時に拡開するようにしたのである。これにより胴部を確実に四分割することができる。もうひとつの理由は、アンカーを石膏ボードにねじ込むときに深い割溝の部分で割溝の破損が始まるのでそれを防止するためである。
【００１７】
請求項５は、リブが浅い方の割溝の溝底よりも先端部寄りに設けられている。リブが浅い方の割溝の溝底よりも頭部寄りに設けてあると、アンカーにビスを螺合するときにリブが必要以上に早く分断するのでそれを防止するためである。
【００１８】
請求項６は、中空に形成された石膏ボード用のアンカーであって、一端に頭部を有し、他端に先細の先端部を有し、その間の胴部の外周に雄ネジが形成されており、胴部を２以上の部分に分ける２以上の割溝が胴部の周壁に設けられ、アンカーが石膏ボードの表面から完全にねじ込まれたときに、少なくとも１つの割溝の溝底は、石膏ボードの裏面から１ｍｍ進んだ位置とその裏面から２ｍｍ没入した位置の間にあるように、割溝の溝底と頭部上面との間の長さが設定されている。したがって、アンカーを薄い方の石膏ボードに完全にねじ込んだときに割溝の溝底は石膏ボードの裏面に近い位置にある。そうすると、その割溝の隣の分割胴部が拡開されるときに、割溝の溝底から先端部方向の部分が拡開するので、石膏ボードの内部で分割胴部が拡開しない。したがって、分割胴部が拡開しても石膏ボードの孔を拡げることがなく、石膏ボードの組織が崩れることがなく、アンカーの強度を増すことができる。
【００１９】
請求項７は、胴部を４つの部分に分ける４つの割溝が胴部の周壁に設けられ、アンカーが石膏ボードの表面から完全にねじ込まれたときに、一対の対向する割溝の溝底は、石膏ボードの裏面から１ｍｍ進んだ位置とその裏面から２ｍｍ没入した位置の間にあるように、割溝の溝底と頭部上面との間の長さが設定されている。これにより前述した請求項６と同様の効果を得ることができる。
【発明を実施するための最良の形態】
【００２０】
次に本発明を実施するための最良の形態について説明する。アンカー１は中空であってプラスチックで一体に形成されている。上端に頭部２を有し、下端に先細の先端部３を有している。それらの間の胴部４の外周に雄ネジ５が形成されている。図１に示すようにアンカー１の先端部３から胴部４にかけて一対の深い割溝６，６が設けられている。さらに図２に示すように一対の浅い割溝７，７が設けられている。アンカー１の全長は約２５．７ｍｍであり、深い割溝６の長さは約１６．２ｍｍであり、浅い割溝７の長さは約１３ｍｍであり、それぞれの割溝６，７の隙間は約０．８ｍｍである。頭部２の表面から深い割溝６の溝底８までの距離は約９．５であり、頭部２の表面から浅い割溝７の溝底９までの距離は約１２．７ｍｍである。
【００２１】
図１に示すように深い割溝６にはその対向する内面１０，１０を結ぶリブ１１，１２が設けられている。リブ１１，１２は最終的には分断する必要があるので、リブ１１，１２の厚みは約０．５ｍｍに薄く形成されている。また、図３に示すように頭部２には電動ドライバーの係合部１３が形成されていて、電動ドライバーの先端を係合させてアンカー１を回転できる。
【００２２】
次に本発明の使用方法を説明する。厚みが９．５ｍｍの薄い石膏ボードに使用する場合について説明する。アンカー１の先端部３を石膏ボードに宛がい、頭部の係合部１３に電動ドライバーの先端を係合させてアンカー１を石膏ボードに一杯にねじ込む。ねじ込まれたアンカー１の胴部４の一部は石膏ボードの裏面から突き抜ける。そして、その突き抜けの程度は、深い割溝６の溝底８が石膏ボードの裏面からわずかに外に出るくらいである。この状態ではまだ深い割溝６も浅い割溝７も拡開していない。
【００２３】
次に、ビスを頭部２から胴部４の中に螺合していく。そうすると、深い割溝６がリブ１１，１２に補強されているために、深い割溝６，６と浅い割溝７，７はほぼ同時に拡開する。これによって、四分割された分割胴部１４，１４，１４，１４は同じように拡開する。拡開は主に石膏ボードの裏面の外で行われる。したがって、各分割胴部１４，１４，１４，１４が石膏ボードの中で大きく拡開して石膏ボードの組織を崩すことはない。アンカーを厚みが１２．５ｍｍの比較的厚い石膏ボードに使用する場合は、石膏ボードにねじ込まれたアンカー１の突き抜けの程度は、浅い割溝７の溝底９が石膏ボードの裏面とほぼ同じ平面にある程度である。そして、この場合も前述した薄い石膏ボードと同様に四分割された分割胴部１４，１４，１４，１４が最終的に同じように拡開する。
【図面の簡単な説明】
【００２４】
【図１】アンカーの正面図
【図２】アンカーの側面図
【図３】頭部の上面図
【図４】図１におけるＡ−Ａ断面図
【図５】図１におけるＢ−Ｂ断面図
【図６】図１におけるＣ−Ｃ断面図
【符号の説明】
【００２５】
１  アンカー
２  頭部
３  先端部
４  胴部
５  雄ネジ
６  深い割溝
７  浅い割溝
８  深い割溝の溝底
９  浅い割溝の溝底
１０  深い割溝の内面
１１  リブ
１２  リブ
１３  係合部
１４  分割胴部
【図１】
2007100810.tif 000003
【図２】
2007100810.tif 000004
【図３】
2007100810.tif 000005
【図４】
2007100810.tif 000006
【図５】
2007100810.tif 000007
【図６】
2007100810.tif 000008